(57)【要約】【課題】  ブレードの高さ位置調整と角度調整を共に行うことができるようにする。【解決手段】  ドクターブレード１と裏当て２をブレードホルダ１７との間で挟持したブレードホルダベース１６を、断面逆Ｌ字状のベースブロック１８の下部１８ｂの前側に配置して、前方よりブレードホルダベース固定用ボルト２５を用いて取り付ける。ベースブロック１８の上部１８ａに設けたタップ穴２９に螺着させて下端をブレードホルダベース１６の上面に当接させた押し下げボルト１９と、ベースブロック１８の上部１８ａに設けたボルト挿通孔２８に挿通させて下端部をブレードホルダベース１６の上面に設けたタップ穴２６に螺着させた引き上げボルト２０を備える。押し下げボルト１９と引き上げボルト２０の操作を適宜行うことで、ブレードホルダベース１６ごとドクターブレード１の高さ位置と傾きを調整させる。【選択図】図１
2010264712.tif 000002
【特許請求の範囲】
【請求項１】
ドクターブレードを保持するためのブレードホルダベース及びブレードホルダと、上記ブレードホルダベースをブレードホルダベース固定用ボルトを介して保持、固定するためのベースブロックを備え、更に、上記ベースブロックの長手方向所要間隔の所要個所に、上記ブレードホルダベースの該ベースブロックに対する相対的な取り付け位置を押し下げるための押し下げボルトと、上記ブレードホルダベースの該ベースブロックに対する相対的な取り付け位置を引き上げるための引き上げ手段を、それぞれ備えてなる構成を有することを特徴とするブレード保持装置。
【請求項２】
スキージブレードを保持するためのブレードホルダベース及びブレードホルダと、上記ブレードホルダベースをブレードホルダベース固定用ボルトを介して保持、固定するためのベースブロックを備え、更に、上記ベースブロックの長手方向所要間隔の所要個所に、上記ブレードホルダベースの該ベースブロックに対する相対的な取り付け位置を押し下げるための押し下げボルトと、上記ブレードホルダベースの該ベースブロックに対する相対的な取り付け位置を引き上げるための引き上げ手段を、それぞれ備えてなる構成を有することを特徴とするブレード保持装置。
【請求項３】
ベースブロックを、ブレードホルダベースの上側に配置する水平板状の上部と、該ブレードホルダベースの背面側に配置する垂直板状の下部を備えた断面逆Ｌ字状とし、且つ上記ベースブロックにおける水平板状の上部の長手方向所要間隔個所に上下方向に貫通させて設けた各タップ穴に押し下げボルトをそれぞれ螺着させて、該各押し下げボルトの下端部を上記ブレードホルダベースの上面に当接させ、更に、引き上げ手段を、引き上げボルトとして、上記ベースブロックにおける水平板状の上部の長手方向所要間隔個所に上下方向に穿設したボルト挿通孔に挿通させて、下端部をブレードホルダベースの上面の対応する個所に設けたタップ穴に螺着させるようにした請求項１又は２記載のブレード保持装置。
【請求項４】
ベースブロックを、ブレードホルダベースの上側に配置する水平板状の上部と、該ブレードホルダベースの背面側に配置する垂直板状の下部を備えた断面逆Ｌ字状とし、且つ上記ベースブロックにおける水平板状の上部の長手方向所要間隔個所に上下方向に貫通させて設けた各タップ穴に押し下げボルトをそれぞれ螺着させて、該各押し下げボルトの下端部を上記ブレードホルダベースの上面に当接させ、更に、引き上げ手段を、ブレードホルダベースの長手方向所要間隔個所に上向きの力を常時付勢するようにする引上用ばねとし、且つ該引上用ばねにて上記ブレードホルダベースの所定個所に上向きの力を付勢するときの反力を上記ベースブロックにおける水平板状の上部の長手方向所要間隔個所に受けるようにした請求項１又は２記載のブレード保持装置。
【請求項５】
請求項１、２、３又は４のいずれかに記載のブレード保持装置を備えてなる構成を有することを特徴とする印刷装置。
【発明の詳細な説明】
【技術分野】
【０００１】
本発明は、印刷装置にてドクターブレードやスキージブレードを保持するために用いるブレード保持装置、及び、該ブレード保持装置を備えた印刷装置に関するものである。
【背景技術】
【０００２】
近年、液晶ディスプレイ等の電極パターン（導電パターン）を所要の基板上に形成する手法として、金属蒸着膜のエッチング等による微細加工に代えて、導電性ペーストを印刷インクとして用いた印刷技術、たとえば、凹版オフセット印刷技術を用いて基板上に電極パターンを印刷して形成する手法が提案されてきている。
【０００３】
この種の電極パターンを形成するための凹版オフセット印刷装置では、使用する版の幅が比較的広いため、該版にインキングするためのインキング装置では、たとえば、５００〜６００ｍｍ等の長尺のドクターブレードを使用することがある。
【０００４】
ところで、紙等に文字や画像を印刷する従来の凹版オフセット印刷に用いるインキング装置では、特に長尺のドクターブレードを精度良く設置することが要求されることはなかったが、上記した如き電極パターンを印刷するためには、非常に精細な印刷パターンの版を用いる必要があるため、該版にインキングを行うためのインキング装置においては、上記従来の紙等に文字や画像を印刷する通常の凹版オフセット印刷を行う場合に比して、長尺のドクターブレードの精密な位置決め（アライメント）を行うことが要求されるようになってきている。
【０００５】
ドクターブレードのアライメント調整機構としては、従来、図５乃至図８に示す如き構成のものが提案されている。
【０００６】
これは、ドクターブレード１とドクターブレードの背面に取り付けられた裏当て２を、一対のホルダー４，５からなるブレード保持具３の各ホルダー４と５の間に挟んで配置し、図５及び図６に示すように、上記一方のホルダー４の長手方向中央部を除く長手方向両側部に所要間隔で設けたボルト孔６に挿通させたホルダー固定ねじ７を、他方のホルダー５のそれぞれ対応する個所に設けてあるねじ穴８にねじ込むことで、上記ブレード保持具３に上記ドクターブレード１及び裏当て２を保持させるようにしてある。
【０００７】
更に、上記ブレード保持具３は、図５及び図７に示すように、各ホルダー４，５の長手方向中間部に穿設してあるねじ挿通孔９に挿通させたホルダー回転ねじ１０を、ブレード固定用本体１１の前面の幅方向中央部に設けてあるねじ穴１２に螺着させることで、該ブレード保持具３を、上記ホルダー回転ねじ１０を中心として上下方向に回転（揺動）可能に仮止めするようにしてある。
【０００８】
よって、この状態で、上記ブレード保持具３を、上記ホルダー回転ねじ１０を中心として回転させることで、該ブレード保持具３に上記裏当て２と一緒に保持されている上記ドクターブレード１の先端（下端）が図示しない版の表面と平行になるように調整できるようにしてあり、この調整を行った後、図５及び図８に示すように、上記ブレード保持具３の各ホルダー４，５に長手方向所要間隔で穿設してある多数のボルト挿通孔１３にそれぞれ挿通させた本体固定ねじ１４を、上記ブレード固定用本体１１の対応する個所にそれぞれ設けてあるねじ穴１５に螺着させて締めることで、上記ドクターブレード１を、裏当て２、ブレード保持具３を介して上記ブレード固定用本体１１へ取り付けた構成としてある（たとえば、特許文献１参照）。
【０００９】
なお、印刷装置では、ブレードとして、ドクターブレード以外にスキージブレードも用いることがある。
【先行技術文献】
【特許文献】
【００１０】
【特許文献１】特開２００２−３６１８２２号公報
【発明の概要】
【発明が解決しようとする課題】
【００１１】
ところが、上記特許文献１に示されたものは、ドクターブレード１を保持するブレード保持具３の長手方向中央部を回転中心として回転させることで、該ドクターブレード１の下端の位置を調整する機構となっているため、該ドクターブレード１の下端を、上記図示しない版の表面に平行になるように位置調整することはできるが、高さ位置の調整を行うことができないため、ドクターブレード１の高さ位置の調整を行うための機構が別途必要とされるという問題がある。
【００１２】
更に、上記ドクターブレード１の高さ位置の調整を別途行う必要があることに起因して、インキング装置にドクターブレード１の昇降を行わせるために設けてある上下移動機構（図示せず）によって上記ドクターブレード１を図示しない版に接触させるときの押し圧調整を行う際に、上記上下移動機構の移動量を再調整する必要が生じる虞が懸念される。
【００１３】
そこで、本発明は、ドクターブレードやスキージブレードの角度調整と高さ位置調整を共に行うことができて、別途高さ位置調整機構を必要としないため、装置構成をシンプルなものとすることができ、更に、保持対象となるブレードのアライメントを行った後に、該保持対象のブレードの版への押し圧調整を行うための上下移動機構の移動量を再調整する必要をなくすことができるブレード保持装置及び該ブレード保持装置を備えた印刷装置を提供しようとするものである。
【課題を解決するための手段】
【００１４】
本発明は、上記課題を解決するために、請求項１に対応して、ドクターブレードを保持するためのブレードホルダベース及びブレードホルダと、上記ブレードホルダベースをブレードホルダベース固定用ボルトを介して保持、固定するためのベースブロックを備え、更に、上記ベースブロックの長手方向所要間隔の所要個所に、上記ブレードホルダベースの該ベースブロックに対する相対的な取り付け位置を押し下げるための押し下げボルトと、上記ブレードホルダベースの該ベースブロックに対する相対的な取り付け位置を引き上げるための引き上げ手段を、それぞれ備えてなる構成を有するブレード保持装置とする。
【００１５】
又、請求項２に対応して、スキージブレードを保持するためのブレードホルダベース及びブレードホルダと、上記ブレードホルダベースをブレードホルダベース固定用ボルトを介して保持、固定するためのベースブロックを備え、更に、上記ベースブロックの長手方向所要間隔の所要個所に、上記ブレードホルダベースの該ベースブロックに対する相対的な取り付け位置を押し下げるための押し下げボルトと、上記ブレードホルダベースの該ベースブロックに対する相対的な取り付け位置を引き上げるための引き上げ手段を、それぞれ備えてなる構成を有するブレード保持装置とする。
【００１６】
更に、上記各構成において、ベースブロックを、ブレードホルダベースの上側に配置する水平板状の上部と、該ブレードホルダベースの背面側に配置する垂直板状の下部を備えた断面逆Ｌ字状とし、且つ上記ベースブロックにおける水平板状の上部の長手方向所要間隔個所に上下方向に貫通させて設けた各タップ穴に押し下げボルトをそれぞれ螺着させて、該各押し下げボルトの下端部を上記ブレードホルダベースの上面に当接させ、更に、引き上げ手段を、引き上げボルトとして、上記ベースブロックにおける水平板状の上部の長手方向所要間隔個所に上下方向に穿設したボルト挿通孔に挿通させて、下端部をブレードホルダベースの上面の対応する個所に設けたタップ穴に螺着させるようにした構成とする。
【００１７】
同様に、上記各構成において、ベースブロックを、ブレードホルダベースの上側に配置する水平板状の上部と、該ブレードホルダベースの背面側に配置する垂直板状の下部を備えた断面逆Ｌ字状とし、且つ上記ベースブロックにおける水平板状の上部の長手方向所要間隔個所に上下方向に貫通させて設けた各タップ穴に押し下げボルトをそれぞれ螺着させて、該各押し下げボルトの下端部を上記ブレードホルダベースの上面に当接させ、更に、引き上げ手段を、ブレードホルダベースの長手方向所要間隔個所に上向きの力を常時付勢するようにする引上用ばねとし、且つ該引上用ばねにて上記ブレードホルダベースの所定個所に上向きの力を付勢するときの反力を上記ベースブロックにおける水平板状の上部の長手方向所要間隔個所に受けるようにした構成とする。
【００１８】
更に又、請求項５に対応して、上記いずれかの構成のブレード保持装置を備えてなる構成を有する印刷装置とする。
【発明の効果】
【００１９】
本発明によれば、以下のような優れた効果を発揮する。  
（１）ドクターブレードを保持するためのブレードホルダベース及びブレードホルダと、上記ブレードホルダベースをブレードホルダベース固定用ボルトを介して保持、固定するためのベースブロックを備え、更に、上記ベースブロックの長手方向所要間隔の所要個所に、上記ブレードホルダベースの該ベースブロックに対する相対的な取り付け位置を押し下げるための押し下げボルトと、上記ブレードホルダベースの該ベースブロックに対する相対的な取り付け位置を引き上げるための引き上げ手段を、それぞれ備えてなる構成を有するブレード保持装置としてあるので、ベースブロックの幅方向に設けてある各押し下げボルトと各引き上げ手段により、上記ベースブロックに対するブレードホルダベースの取付高さ位置の調整と、幅方向の取付角度を調整することができる。よって、上記ブレードホルダベースとブレードホルダとの間に挟持させてある、ドクターブレードの高さ位置調整と、角度調整の双方を実施することができる。  
（２）しかも、上記ドクターブレードの高さ位置調整機構を別途必要としないため、装置構成をシンプルなものとすることができる。更には、ドクターブレードの上記高さ位置調整と角度調整を行った後に、インキング装置におけるドクターブレードの版への押し圧調整を行うための上下移動機構の移動量の再調整を不要にすることが可能になる。  
（３）スキージブレードを保持するためのブレードホルダベース及びブレードホルダと、上記ブレードホルダベースをブレードホルダベース固定用ボルトを介して保持、固定するためのベースブロックを備え、更に、上記ベースブロックの長手方向所要間隔の所要個所に、上記ブレードホルダベースの該ベースブロックに対する相対的な取り付け位置を押し下げるための押し下げボルトと、上記ブレードホルダベースの該ベースブロックに対する相対的な取り付け位置を引き上げるための引き上げ手段を、それぞれ備えてなる構成を有するブレード保持装置とすることにより、ドクターブレードに代えてスキージブレードを保持対象として、上記（１）（２）と同様の効果を得ることができる。  
（４）ベースブロックを、ブレードホルダベースの上側に配置する水平板状の上部と、該ブレードホルダベースの背面側に配置する垂直板状の下部を備えた断面逆Ｌ字状とし、且つ上記ベースブロックにおける水平板状の上部の長手方向所要間隔個所に上下方向に貫通させて設けた各タップ穴に押し下げボルトをそれぞれ螺着させて、該各押し下げボルトの下端部を上記ブレードホルダベースの上面に当接させ、更に、引き上げ手段を、引き上げボルトとして、上記ベースブロックにおける水平板状の上部の長手方向所要間隔個所に上下方向に穿設したボルト挿通孔に挿通させて、下端部をブレードホルダベースの上面の対応する個所に設けたタップ穴に螺着させるようにした構成とすることにより、上記（１）（２）（３）の効果を得るブレード保持装置の装置構成を容易に実現できる。  
（５）ベースブロックを、ブレードホルダベースの上側に配置する水平板状の上部と、該ブレードホルダベースの背面側に配置する垂直板状の下部を備えた断面逆Ｌ字状とし、且つ上記ベースブロックにおける水平板状の上部の長手方向所要間隔個所に上下方向に貫通させて設けた各タップ穴に押し下げボルトをそれぞれ螺着させて、該各押し下げボルトの下端部を上記ブレードホルダベースの上面に当接させ、更に、引き上げ手段を、ブレードホルダベースの長手方向所要間隔個所に上向きの力を常時付勢するようにする引上用ばねとし、且つ該引上用ばねにて上記ブレードホルダベースの所定個所に上向きの力を付勢するときの反力を上記ベースブロックにおける水平板状の上部の長手方向所要間隔個所に受けるようにした構成とすることにより、上記（１）（２）（３）の効果を得るブレード保持装置の装置構成を容易に実現でき、更に、押し下げボルトの操作のみで、ベースブロックに対するブレードホルダベースの取付高さ位置の調整と、幅方向の取付角度を調整して、保持対象となるドクターブレードやスキージブレードの高さ位置調整と、角度調整の双方を実施することができる。  
（６）上記いずれかの構成のブレード保持装置を備えてなる構成を有する印刷装置とすることにより、印刷作業開始前のドクターブレード及び又はスキージブレードの取り付けや位置調整に要する手間及び時間を削減することができる。
【図面の簡単な説明】
【００２０】
【図１】本発明のブレード保持装置の実施の一形態を示す概略正面図である。
【図２】図１の保持装置のＡ−Ａ方向矢視図である。
【図３】図１の保持装置のＢ−Ｂ方向矢視図である。
【図４】本発明の実施の他の形態を示す概略正面図である。
【図５】従来提案されているドクターブレードのアライメント調整機構を示す概略正面図である。
【図６】図５のＣ−Ｃ方向矢視図である。
【図７】図５のＤ−Ｄ方向矢視図である。
【図８】図５のＥ−Ｅ方向矢視図である。
【発明を実施するための形態】
【００２１】
以下、本発明を実施するための形態を図面を参照して説明する。
【００２２】
図１乃至図３は本発明のブレード保持装置の実施の一形態として、保持対象をドクターブレードとする場合の適用例を示すもので、以下のようにしてある。
【００２３】
すなわち、上記本発明のブレード保持装置は、ドクターブレード１と裏当て２を一緒に挟んで保持するためのブレードホルダベース１６及びブレードホルダ１７と、上記ドクターブレード１及び裏当て２を上記ブレードホルダベース１６ごと保持、固定するためのベースブロック１８を備え、更に、上記ベースブロック１８に対する上記ブレードホルダベース１６の相対的な取り付け位置を押し下げるための押し下げボルト１９と、該ベースブロック１８に対する上記ブレードホルダベース１６の相対的な取り付け位置を引き上げるための引き上げ手段としての引き上げボルト２０を、それぞれ長手方向の両端寄り個所を含む複数個所に備えてなる構成とする。
【００２４】
詳述すると、上記ブレードホルダベース１６は、側面形状を、下部前面側に上記ブレードホルダ１７を嵌合させるための切欠き部（段差部）１６ａを備えた逆Ｌ字形状とすると共に、上記ドクターブレード１の長さ寸法よりもやや長い寸法で左右方向に延びる構成としてある。
【００２５】
上記ブレードホルダ１７は、上記ブレードホルダベース１６の前面の切欠き部１６ａに嵌合する側面形状を有する平板状とし、且つ上記ブレードホルダベース１６と同様に左右方向に延びる構成としてある。
【００２６】
更に、上記ブレードホルダ１７の長手方向所要間隔個所には、前後方向に貫通させてボルト挿通孔２１がそれぞれ穿設してあると共に、上記ブレードホルダベース１６の切欠き部１６ａが設けてある下部における上記ブレードホルダ１７の各ボルト挿通孔２１とそれぞれ対応する長手方向所要間隔個所には、前後方向に貫通するねじ穴２２がそれぞれ設けてある。これにより、上記ブレードホルダベース１６の切欠き部１６ａの前面と、その前方に配したブレードホルダ１７との間に、上記ドクターブレード１と裏当て２の上部を挟んだ状態にて、上記ブレードホルダ１７の各ボルト挿通孔２１に挿通させたブレード固定用ボルト２３を、上記ブレードホルダベース１６の下部に設けてあるそれぞれ対応するねじ穴２２に螺着させて締めることで、該ブレードホルダベース１６と上記ブレードホルダ１７との間に、上記ドクターブレード１と裏当て２の上部を狭持して固定できるようにしてある。
【００２７】
更に又、上記ブレードホルダベース１６の上部における長手方向所要間隔個所には、前後方向に貫通するボルト挿通孔２４が穿設してある。なお、該各ボルト挿通孔２４は、その内径が、後述するブレードホルダベース固定用ボルト２５の外径よりも所要寸法大きくなるようにしてあるものとする。
【００２８】
更には、上記ブレードホルダベース１６の上面における長手方向所要個所、たとえば、長手方向両側寄りの２個所に、上記引き上げボルト２０を上方より螺着させるための上下方向のタップ穴（ねじ穴）２６が設けてある。
【００２９】
上記ベースブロック１８は、上記ブレードホルダベース１６の上側に配置する水平板状の上部１８ａと、該ブレードホルダベース１６の背面側に配置する垂直板状の下部１８ｂとを一体に備えた断面逆Ｌ字状とし、且つ上記ブレードホルダベース１６と同様に左右方向に延びる構成としてある。
【００３０】
更に、上記ベースブロック１８の下部１８ｂにおける上記ブレードホルダベース１６の上部に穿設した各ボルト挿通孔２４とそれぞれ対応する長手方向所要間隔の所定個所には、前後方向のねじ穴２７が設けてある。これにより、上記ブレードホルダベース１６の各ボルト挿通孔２４に前側より挿通させる各ブレードホルダベース固定用ボルト２５を、上記ベースブロック１８の下部１８ｂに設けてある対応するねじ穴２７にそれぞれ螺着させることで、上記ブレードホルダベース１６を、上記ベースブロック１８に各ブレードホルダベース固定用ボルト２５を介して保持させると共に、この状態では、上記ブレードホルダベース１６を、該ブレードホルダベース１６の各ボルト挿通孔２４の内面と、該各ボルト挿通孔２４に挿通させたブレードホルダベース固定用ボルト２５の外面との隙間の分だけ変位させることができるようにしてあり、更に、上記各ブレードホルダベース固定用ボルト２５を、上記ベースブロック１８の対応するねじ穴２７にそれぞれ締め込むことで、上記ブレードホルダベース１６を、上記ベースブロック１８に固定できるようにしてある。
【００３１】
更に又、上記ベースブロック１８の上部１８ａにおける上記ブレードホルダベース１６の上面に設けた各タップ穴２６とそれぞれ対応する長手方向の所定個所には、上下方向に貫通するボルト挿通孔２８が穿設してあると共に、該ベースブロック１８の上部１８ａにおける上記各ボルト挿通孔２８と干渉しない長手方向所要間隔個所に、上下方向に貫通するタップ穴（ねじ穴）２９がそれぞれ設けてある。上記ベースブロック１８の上部１８ａに設けた各ボルト挿通孔２８には、上方より引き上げボルト２０をそれぞれ挿通させると共に、該各引き上げボルト２０の下端部を、上記ブレードホルダベース１６の上面に設けてあるタップ穴２６にそれぞれ螺着させるようにしてある。又、上記ベースブロック１８の上部１８ａに設けた各タップ穴２９には、上方より押し下げボルト１９をそれぞれ螺着させて、該各押し下げボルト１９を、その下端部が上記ブレードホルダベース１６の上面に突き当たるまで、対応するタップ穴２９にそれぞれねじ込むことができるようにした構成としてある。
【００３２】
３０は上記ベースブロック１８を、図示しないインキング装置のドクターブレード１の昇降を行わせるための上下移動機構へ接続するための接続部材である。
【００３３】
以上の構成としてある本発明のブレード保持装置を使用する場合は、先ず、上記ブレードホルダベース１６の切欠き部１６ａとブレードホルダ１７との間にドクターブレード１と裏当て２を挟んで配置した状態にて、ブレードホルダ１７のボルト挿通孔２１に前方より挿通させたブレード固定用ボルト２３を、上記ブレードホルダベース１６の切欠き部１６ａに設けてある各ねじ穴２２に螺着させて締めることで、上記ドクターブレード１をブレードホルダベース１６とブレードホルダ１７に挟持させて固定する。
【００３４】
次に、上記ブレードホルダベース１６を、上記ベースブロック１８の下部１８ｂの前方に配置した状態で、該ブレードホルダベース１６のボルト挿通孔２４に前方より挿通させたブレードホルダベース固定用ボルト２５を、上記ベースブロック１８のねじ穴２７に螺着させて、該ブレードホルダベース１６を上記ベースブロック１８に仮固定する。
【００３５】
次いで、上記ベースブロック１８の上部１８ａに設けてある各タップ穴２９に、上方より押し下げボルト１９をそれぞれ螺着させると共に、該ベースブロック１８の上部１８ａに設けてある各ボルト挿通孔２８に上方より挿通させた各引き上げボルト２０の下端部を、上記ブレードホルダベース１６の上面に設けてある各タップ穴に２６にそれぞれ螺着させる。この際、上記各押し下げボルト１９の下端（先端）が上記ブレードホルダベース１６の上面に突き当たるようにさせると共に、上記各引き上げボルト２０の首下部が上記ベースブロック１８の上面における各ボルト挿通孔２８の周縁部にそれぞれ接触するようにさせる。
【００３６】
この状態で、上記ベースブロック１８に対する上記ドクターブレード１の相対的な配置を下げたい場合は、上記引き上げボルト２０を上記ブレードホルダベース１６のタップ穴２６より所要量緩めてから、上記押し下げボルト１９を上記ベースブロック１８のタップ穴２９に締め込むようにする。これにより、上記ベースブロック１８に対する上記ブレードホルダベース１６の取付位置が下がるため、該ブレードホルダベース１６に固定してある上記ドクターブレード１の位置が下げられるようになる。
【００３７】
一方、上記ベースブロック１８に対する上記ドクターブレード１の相対的な配置を上げたい場合は、上記押し下げボルト１９を上記ベースブロック１８のタップ穴２９より所要量緩めてから、上記引き上げボルト２０を上記ブレードホルダベース１６のタップ穴２６に締め込むようにする。これにより、上記ベースブロック１８に対する上記ブレードホルダベース１６の取付位置が上がるため、該ブレードホルダベース１６に固定してある上記ドクターブレード１の位置が上げられるようになる。
【００３８】
更に、上記ベースブロック１８及びブレードホルダベース１６の長手方向に複数設けてある各ボルト挿通孔２８及びタップ穴２６の部分の各引き上げボルト２０と、上記ベースブロック１８の長手方向に所要間隔で複数設けてある各タップ穴２９の部分の押し下げボルト１９で、それぞれ対応するタップ穴２６，２９への締め込み量を変化させることで、上記ベースブロック１８に対する上記ブレードホルダベース１６の取り付け角度を変化させて、該ブレードホルダベース１６に固定してある上記ドクターブレード１の長手方向の傾きが調整されるようになる。
【００３９】
したがって、上記した各押し下げボルト１９と各引き上げボルト２０の操作を適宜行うことにより、上記ベースブロック１８に対する上記ドクターブレード１の取付高さ位置及び取付角度を、所望する所定の取付高さ位置及び取付角度に合わせた後、上記ブレードホルダベース固定用ボルト２５を、上記ベースブロック１８の対応するねじ穴に２７にそれぞれ締め込むことで、上記所定の取付高さ位置及び取付角度に配置された状態のドクターブレード１が、上記ブレードホルダベース１６ごと上記ベースブロック１８に固定されるようになる。
【００４０】
このように、本発明のブレード保持装置によれば、ベースブロック１８にブレードホルダベース１６及びブレードホルダ１７を介して固定するドクターブレード１の高さ位置調整と、角度調整の双方を実施することができる。よって、別途高さ位置調整機構を必要としないため、装置構成をシンプルなものとすることができる。更に、ドクターブレード１の上記高さ位置調整と角度調整を行った後に、図示しないインキング装置におけるドクターブレード１の版への押し圧調整を行うための上下移動機構の移動量の再調整は不要にすることが可能となる。
【００４１】
次に、図４は本発明の実施の他の形態として、図１乃至図３の実施の形態の応用例を示すもので、図１乃至図３に示したと同様の構成において、ベースブロック１８に対するブレードホルダベース１６の相対的な取付位置を引き上げるための引き上げ手段として、引き上げボルト２０を用いる構成に代えて、ベースブロック１８に反力を受けてブレードホルダベース１６に上向きの力を常時付勢する引上用のばね３１を用いる構成としたものである。
【００４２】
具体的には、上記ブレードホルダベース１６の上面における各押し下げボルト１９の当接個所と干渉しない長手方向所要個所、たとえば、長手方向両側寄りの２個所に、鉛直方向に所要寸法延び、且つ上端部をねじ山が刻設された雄ねじ部（図示せず）としてなるシャフト３２の下端部を取り付ける。
【００４３】
一方、上記ベースブロック１８の上部１８ａにおける上記ブレードホルダベース１６に設けた上記各シャフト３２と対応する個所には、該各シャフト３２を挿通させるためのシャフト挿通孔３３をそれぞれ穿設する。
【００４４】
更に、上記ブレードホルダベース１６の各シャフト３２を、上記ベースブロック１８の各シャフト挿通孔３３に下方より挿通させると共に、該各シャフト挿通孔３３の上側に突出する上記各シャフト３２の上部の外周に、皿ばねやコイルばねとしてある上記引上用ばね３１をそれぞれ嵌め、該各引上用ばね３１の上方からナット３４を上記各シャフト３２の上端部の雄ねじ部にそれぞれ螺着させると共に、該各ナット３４を締めることで、該各ナット３４と上記ベースブロック１８の上面における上記各シャフト挿通孔３３の周縁部との間で上記各引上用ばね３１を所要量圧縮し、この圧縮された各引上用ばね３１の復元力により、上記ベースブロック１８の上面における上記各シャフト挿通孔３３の周縁部に反力を受けた状態で、上記ナット３４とシャフト３２を介して上記ブレードホルダベース１６に上向きの力を常に付勢できるようにした構成とする。
【００４５】
その他の構成は図１乃至図３に示したものと同様であり、同一のものには同一の符号が付してある。
【００４６】
本実施の形態のブレード保持装置を使用する場合は、図１乃至図３に示した実施の形態と同様にブレードホルダベース１６とブレードホルダ１７によりドクターブレード１と裏当て２を挟持させた状態にて、上記ブレードホルダベース１６の各シャフト３２を、ベースブロック１８の対応するシャフト挿通孔３３に下方より挿通させるようにしながら該ブレードホルダベース１６をベースブロック１８の下部１８ｂの前方に配置し、この状態で、該ブレードホルダベース１６のボルト挿通孔２４に前方より挿通させたブレードホルダベース固定用ボルト２５を、上記ベースブロック１８のねじ穴２７に螺着させて、該ブレードホルダベース１６を上記ベースブロック１８に仮固定する。
【００４７】
次いで、上記ベースブロック１８の上部１８ａに設けてある各タップ穴２９に、上方より押し下げボルト１９をそれぞれ螺着させると共に、上記ベースブロック１８の各シャフト挿通孔３３の上側に突出する上記ブレードベースホルダ１６の各シャフト３２に、上記したように引上用ばね３１とナット３４をそれぞれ取り付けて、該各引上用ばね３１の復元力により、上記ブレードホルダベース１６に上向きの力を付勢するようにしておく。
【００４８】
この状態で、上記ベースブロック１８に対する上記ドクターブレード１の相対的な配置を下げたい場合は、上記押し下げボルト１９を上記ベースブロック１８のタップ穴２９に締め込むようにすることで、上記各引上用ばね３１により上記ブレードホルダベース１６に作用させている上向きの力に抗して上記ブレードホルダベース１６の位置を押し下げることができるため、該ブレードホルダベース１６に固定してある上記ドクターブレード１の位置が下げられるようになる。
【００４９】
一方、上記ベースブロック１８に対する上記ドクターブレード１の相対的な配置を上げたい場合は、上記押し下げボルト１９を上記ベースブロック１８のタップ穴２９より所要量緩めることで、上記各引上用ばね３１により上記ブレードホルダベース１６に作用させている上向きの力を利用して上記ブレードホルダベース１６の位置を引き上げることができるため、該ブレードホルダベース１６に固定してある上記ドクターブレード１の位置が上げられるようになる。
【００５０】
したがって、上記した各押し下げボルト１９の締め込み又は緩める操作を適宜行うことにより、上記ベースブロック１８に対する上記ドクターブレード１の取付高さ位置及び取付角度を、所望する所定の取付高さ位置及び取付角度に一致するよう調整できる。よって、その後は、図１乃至図３に示したものと同様に、上記ブレードホルダベース固定用ボルト２５を、上記ベースブロック１８の対応するねじ穴に２７にそれぞれ締め込むことで、上記所定の取付高さ位置及び取付角度に配置された状態のドクターブレード１が、上記ブレードホルダベース１６ごと上記ベースブロック１８に固定されるようになる。
【００５１】
このように、本実施の形態によっても、上記実施の形態と同様の効果を得ることができる。
【００５２】
上記各実施の形態は、いずれも保持対象をドクターブレード１とした場合について示したが、ドクターブレード１に代えて、スキージブレードを保持対象とした構成としてもよい。
【００５３】
かかる構成とすれば、スキージブレードを、高さ位置調整と、角度調整可能に固定することができるようになるため、この場合にも、別途高さ位置調整機構を不要にできて、ブレード保持装置の装置構成をシンプルなものとすることができるという効果や、スキージブレードの上記高さ位置調整と角度調整を行った後に、図示しない版への上記スキージブレードの押し圧調整を行うための上下移動機構の移動量の再調整は不要にすることができるという効果を得ることができる。
【００５４】
更に、上記ドクターブレード１を保持した本発明のブレード保持装置及び又は上記スキージブレードを保持した本発明のブレード保持装置を備えてなる構成を有する本発明の印刷装置を形成することにより、印刷作業開始前の上記ドクターブレード１及び又はスキージブレードの取り付けや位置調整に要する手間及び時間を削減できる効果が期待できる。
【００５５】
なお、本発明は上記実施の形態のみに限定されるものではなく、本発明のブレード保持装置における上記ブレードホルダベース１６の切欠き部１６ａとブレードホルダ１７との間にドクターブレード１と裏当て２を挟持させて固定させるために用いるブレード固定ボルト２３の本数や配置は、上記ブレードホルダベース１６やブレードホルダ１７の長手方向寸法に応じて適宜変更してよい。よって、上記ブレードホルダベース１６の切欠き部１６ａに設けるねじ穴２２と、ブレードホルダ１７に設けるボルト挿通孔２１の数や配置も、上記ブレード固定ボルト２３の本数や配置に合わせて適宜変更してよい。
【００５６】
又、上記ベースブロック１８に対する上記ブレードホルダベース１６の相対的な取り付け位置を押し下げるための押し下げボルト１９の本数や配置は、該ベースブロック１８やブレードホルダベース１６の長手方向寸法に応じて適宜変更してよい。よって、上記ベースブロック１８の上部１８ａに設ける押し下げボルト１９用のタップ穴２９の数や配置も、上記押し下げボルト１９の本数や配置に合わせて適宜変更してよい。
【００５７】
図１乃至図３の実施の形態において、ベースブロック１８に対するブレードホルダベース１６の相対的な取り付け位置を引き上げるための引き上げボルト２０は、該ベースブロック１８やブレードホルダベース１６の長手方向寸法に応じて本数を増加させてもよい。よって、上記ベースブロック１８の上部１８ａに設ける引き上げボルト２０用のボルト挿通孔２８や、ブレードホルダベース１６の上面に設ける引き上げボルト２０用のタップ穴２６の数や配置も、上記引き上げボルト２０の本数に合わせて適宜変更してよい。
【００５８】
図４の実施の形態において、ベースブロック１８に対するブレードホルダベース１６の相対的な取り付け位置を引き上げるための引上用ばね３１の数は、該ベースブロック１８やブレードホルダベース１６の長手方向寸法に応じて増加させてもよい。更に、ベースブロック１８に反力を受けた状態でブレードホルダベース１６に上向きの力を常に付勢することができるようにしてあれば、引上用ばね３１はコイルばねや皿ばね以外のばねを用いるようにしてもよく、更には、引上用ばね３１の上記ベースブロック１８やブレードホルダベース１６への取り付け形式は、図４に示した以外の任意の取り付け方を採用してもよい。
【００５９】
本発明のブレード保持装置は、ドクターブレード１やスキージブレードの高さ位置調整と角度調整が望まれるものであれば、いかなる形式の印刷装置におけるドクターブレード１やスキージブレードの保持に適用してもよい。
【００６０】
本発明の印刷装置は、ドクターブレード１及び又はスキージブレードをブレード保持装置を介して保持するようにしてある印刷装置であれば、いかなる印刷形式のものであってもよい。
【００６１】
その他本発明の要旨を逸脱しない範囲内で種々変更を加え得ることは勿論である。
【符号の説明】
【００６２】
１  ドクターブレード
２  裏当て
１６  ブレードホルダベース
１７  ブレードホルダ
１８  ベースブロック
１８ａ  上部
１８ｂ  下部
１９  押し下げボルト
２０  引き上げボルト（引き上げ手段）
２５  ブレードホルダベース固定用ボルト
２６  タップ穴
２８  ボルト挿通孔
２９  タップ穴
３１  引上用ばね
【図１】
2010264712.tif 000003
【図２】
2010264712.tif 000004
【図３】
2010264712.tif 000005
【図４】
2010264712.tif 000006
【図５】
2010264712.tif 000007
【図６】
2010264712.tif 000008
【図７】
2010264712.tif 000009
【図８】
2010264712.tif 000010